(57)【特許請求の範囲】
【請求項１】
ハウジング付の電気素子におけるハウジングの側壁部分の中途に他の電気素子の収納部を一体的に形成し、その収納部の下部にその他の電気素子を配設したものを、バスバーのベース部分が固定されたケース内に組み込んでバスバーによって配線することによって、前記ハウジングの収納部に収納された他の電気素子を介してケース内に階層をもって立体的に電気回路を形成できるようにしたことを特徴とする電気素子。
【発明の詳細な説明】
【０００１】
【産業上の利用分野】
本発明は、ハウジング付の電気素子に関する。
【０００２】
【従来の技術】
従来、電気回路を実装するに際して、防湿、防塵や絶縁性確保のために合成樹脂製のハウジングに入れられたコンデンサなどの電気素子を組み込むようにしている。
【０００３】
また、従来、回路基板を用いることなく、予めケース側に圧入などによって設けられたバスバーによって各種電気素子の配線をなして電気回路をケースに組み込むようにしたものが開発されている（特許第３０９０４４８号公報参照）。
【０００４】
それは、バスバーによって電気回路の構成要素となる各電気素子を平面的に配線したものでしかなく、そのためバスバーのとり回しが複雑になるとともに、ケースに組み込まれる電気回路の占積率が悪いものになっている。
【０００５】
【発明が解決しようとする課題】
解決しようとする問題点は、バスバー配線によって電気回路をケースに組み込むに際して、その電気回路の構成要素となる各電気素子が平面的に配置されるようにバスバーによって配線するのでは、バスバーのとり回しが複雑になるとともに、ケースに組み込まれる電気回路の占積率が悪くなってしまうことである。
【０００６】
【課題を解決するための手段】
本発明は、ハウジング付の電気素子におけるハウジングの側壁部分の中途に他の電気素子の収納部を一体的に形成し、その収納部の下部にその他の電気素子を配設したものを、バスバーのベース部分が固定されたケース内に組み込んでバスバーによって配線することによって、前記ハウジングの収納部に収納された他の電気素子を介してケース内に階層をもって立体的に電気回路を形成できるようにしている。
【０００７】
【実施例】
図１ないし図３は、バスバー配線によってケースに組み込まれた電気回路の一構成例を示している。
【０００８】
ここでは、図９に示すＨＩＤランプ起動回路の構成要素であるチョークコイルＬ、双方向性のツエナダイオードＺＤ、抵抗Ｒ、ハウジング付のコンデンサＣ、スパークギャップＳＧおよびトランスＴを、ケース１にバスバー配線によって組み込むようにしている。
【０００９】
図中、１１はケース１におけるトランスＴの収入部を示しており、ケース１の裏側の開口部分からトランスＴのユニットが圧入されている。１２は、ケース１に組み込まれるＨＩＤランプ起動回路の入力側の低圧端子Ｌｏ、高圧端子ＨｉおよびＧＮＤ端子が引き出されるコネクタ部を示している。
【００１０】
このようなものにあって、特に本発明では、図５および図６に示すように、コンデンサＣのハウジングの側壁部分の中途にツエナダイオードＺＤの収納部８を一体的に形成して、その下部に抵抗Ｒが階層をもって立体的に配置されるように、バスバー２によって配線するようにしている。
【００１１】
図中、４はコンデンサＣのリードであり、９，１０はコンデンサＣのハウジングをケース１側に設けられた位置決め用の孔部（図４参照）に差し込む突起である。また、収納部８にはそれに圧入されるツエナダイオードＺＤのリード引出し用の溝８１が形成されている。
【００１２】
図１ないし図３では抵抗Ｒが示されていないが、抵抗ＲがツエナダイオードＺＤの下部に配置されている。図中、４（Ｒ）は抵抗Ｒの両端のリード端子を示している。
【００１３】
バスバー２は、図７および図８に示すような形状をもって構成されている。そして、図３および図４に示すように、バスバー２のベース部分２１がケース１にインサート成形されて、ＨＩＤランプ起動回路の各電気素子が接続されるバスバー２の各先端部分２２が同一方向に立ち上げられている。２３１〜２３３は、ケース１のコネクタ部１２に引き出される低圧端子Ｌｏ、高圧端子ＨｉおよびＧＮＤ端子の部分である。
【００１４】
バスバー２の立ち上げられた各先端部分２２にはＵ字状（またはＶ字状，Ｙ字状）の切溝３が設けられており、その切溝３にＨＩＤランプ起動回路における各電気素子のリード４をそれぞれ圧入して溶接するようにしている。
【００１５】
その際、バスバー２に立ち上げられている先端部分２２の長さが異なり、同じ長さをもって立ち上げられている各一対の先端部分２２にそれぞれ接続される各電気素子Ｌ，ＺＤ，Ｒ，Ｃ，ＳＧが階層をもって立体的に配置される。
【００１６】
このように、回路基板を何ら用いることなく、バスバー２による配線だけでＨＩＤランプ起動回路の各電気素子Ｌ，ＺＤ，Ｒ，Ｃ，ＳＧをケース１に階層をもって立体的に組み込むようにすることにより、立体空間におけるバスバー２のとり回しを自在に簡素に行うことができ、ケース１に組み込まれる起動回路の占積率が向上する。
【００１７】
また、ケース１上に同一方向に立ち上げられているバスバー２の各先端部分２２に設けられた切溝３に各電気素子のリード４をそれぞれ圧入して仮固定したうえで、上方からその各先端部分２２にレーザを照射するなどして溶接することが可能になり、狭いスペースでの溶接を容易かつ確実に行わせることができるようになり、自動化に有利となる。
【００１８】
その際、バスバー２の立ち上げられた各先端部分２２の切溝３にリード４が圧入されている部分が重ならずに露出するようにバスバー２をとり回すようにすれば、ケース１にＨＩＤランプ起動回路の全ての電気素子を仮固定した状態で、レーザ照射による溶接を順次に行わせることができるようになる。
【００１９】
ケース１に組み付ける電気素子が密集して、立ち上げられた各先端部分２２が重ならないようにバスバー２のとり回しが複雑になるような場合には、階層ごとに電気素子の仮固定をなしてレーザ溶接（またはハンダ付け）を行わせるようにする。
【００２０】
ケース１には、図４に示すように、ＨＩＤランプ起動回路の各電気素子Ｌ，Ｒ，ＳＧの収納部５（Ｌ），５（Ｒ），５（ＳＧ）が設けられており、その各収納部５に各電気素子Ｌ，Ｒ，ＳＧを組み付けるようになっている。また、ケース１にはコンデンサＣの位置決め用の段部６および孔部７が設けられており、その孔部７にコンデンサＣの底部に設けられた突起９，１０を差し込むとともに、段部６にコンデンサＣを係止させることによって、コンデンサＣをケース１に耐振性をもって組み付けるようになっている。
【００２１】
【効果】
以上、本発明は、ハウジング付の電気素子におけるハウジングの側壁部分の中途に他の電気素子の収納部を一体的に形成し、その収納部の下部にその他の電気素子を配設したものを、バスバーのベース部分が固定されたケース内に組み込んでバスバーによって配線することによって、前記ハウジングの収納部に収納された他の電気素子を介してケース内に階層をもって立体的に電気回路を形成できるようにしたもので、バスバー配線によって電気回路をケースに組み込むに際して、一の電気素子のハウジングに設けられた収納部に他の電気素子を収納することにより、その他の電気素子を階造をもって立体的に配置できるようになり、バスバーのとり回しを自在に簡素に行って、ケースに組み込まれる電気回路の占積率を向上させることができるという利点を有している。
【図面の簡単な説明】
【図１】バスバー配線によってケースに組み込まれた電気回路の一構成例を示す斜視図である。
【図２】その電気回路が組み込まれたケースの平面図である。
【図３】その電気回路が組み込まれたケースの側面図である。
【図４】バスバーがインサート成形されたケースの平面図である。
【図５】本発明によるハウジングの側壁部分の中途に他の電気素子の収納部が一体的に形成された電気素子を示す平面図である。
【図６】その他の電気素子の収納部が一体的に形成された電気素子の正面図である。
【図７】ケースにインサート成形されるバスバーの平面図である。
【図８】そのバスバーの側面図である。
【図９】ケースに組み込まれる電気回路の一構成例を示す電気回路図である。
【符号の説明】
１  ケース
２  バスバー
８  コンデンサのハウジングに一体的に形成された収納部
【図１】
0004547837.tif 000002
【図２】
0004547837.tif 000003
【図３】
0004547837.tif 000004
【図４】
0004547837.tif 000005
【図５】
0004547837.tif 000006
【図６】
0004547837.tif 000007
【図７】
0004547837.tif 000008
【図８】
0004547837.tif 000009
【図９】
0004547837.tif 000010